(57)【要約】【課題】患者自らが歯の治療前に求める形態及びその効果・費用等を知得できる歯科用展示台を提供する。【解決手段】歯科用展示台１は複数の開口２ａが横一列に所定間隔おいて形成された水平の台２を上下２段有し、各台２の後辺から連続した傾斜する背台３をそれぞれ形成している。各開口２ａには差し歯・インレー・ラミネート・コア等の様々な見本５を取り付けた透明なベース４を取り外し可能にそれぞれ差し込み、背台３には各見本５を説明する説明ボード６を配設している。【選択図】図１
0003149747.tif 000002
【実用新案登録請求の範囲】
【請求項１】
台上に種類の異なる差し歯・インレー・ラミネート・コアのいずれか又はそれらの各見本を横方向に取り外し可能に列設し、各見本の近接位置にそれぞれの見本に対応した説明が表記された説明ボードを配設した歯科用展示台。
【請求項２】
底面に凸所が形成されたベース上に見本を取り付け、台面に開口又は凹所を形成し、同開口又は凹所に前記ベースの凸所を挿入して見本を取り外し可能にした請求項１記載の歯科用展示台。
【請求項３】
ベースに説明ボードの各見本の位置に対応した識別情報を表記した請求項１又は２記載の歯科用展示台。
【請求項４】
差し歯の見本が、歯冠と歯幹とに分離可能に構成されているものである請求項１〜３いずれか記載の歯科用展示台。
【請求項５】
台が、見本の上方又は下方に説明ボードを立て掛ける斜めの背台を形成したものである請求項１〜４いずれか記載の歯科用展示台。
【請求項６】
説明ボードが、各見本の名称・説明・費用をそれぞれ表記したものである請求項１〜５いずれか記載の歯科用展示台。
【請求項７】
見本及び説明ボードを含む台の正面を覆って密閉できる透明の扉を開閉自在に取り付けた請求項１〜６いずれか記載の歯科用展示台。
【考案の詳細な説明】
【技術分野】
【０００１】
本考案は、差し歯・インレー（虫歯治療時に用いる詰め物）・ラミネート（歯表面を研削してセラミックを貼りあわせる手法）・コア（歯の支台形態の回復及び支台補強に用いる土台）の各見本を展示する歯科用展示台に関する。
【背景技術】
【０００２】
従来、歯科診療所において虫歯治療時に用いる差し歯やインレーは診療室で実際に治療する際に医師から見本を見せられたり説明を受けたりしているが、治療前に患者が待合室等で知り得ることはできなかった。義歯見本は特許文献１に示されるものが存在するが差し歯やインレーの見本はなく、患者自らが治療前に求める形態及びその効果・費用等を知得し、選択できるものが望まれていた。
【先行技術文献】
【特許文献】
【０００３】
【特許文献１】実用新案登録第３０６７７８４号公報
【考案の概要】
【考案が解決しようとする課題】
【０００４】
本考案が解決しようとする課題は、従来のこれらの問題点を解消し、患者自らが歯の治療前に求める形態及びその効果・費用等を知得できる歯科用展示台を提供することにある。
【課題を解決するための手段】
【０００５】
かかる課題を解決した本考案の構成は、
１）台上に種類の異なる差し歯・インレー・ラミネート・コアのいずれか又はそれらの各見本を横方向に取り外し可能に列設し、各見本の近接位置にそれぞれの見本に対応した説明が表記された説明ボードを配設した歯科用展示台
２）底面に凸所が形成されたベース上に見本を取り付け、台面に開口又は凹所を形成し、同開口又は凹所に前記ベースの凸所を挿入して見本を取り外し可能にした前記１）記載の歯科用展示台
３）ベースに説明ボードの各見本の位置に対応した識別情報を表記した前記１）又は２）記載の歯科用展示台
４）差し歯の見本が、歯冠と歯幹とに分離可能に構成されているものである前記１）〜３）いずれか記載の歯科用展示台
５）台が、見本の上方又は下方に説明ボードを立て掛ける斜めの背台を形成したものである前記１）〜４）いずれか記載の歯科用展示台
６）説明ボードが、各見本の名称・説明・費用をそれぞれ表記したものである前記１）〜５）いずれか記載の歯科用展示台
７）見本及び説明ボードを含む台の正面を覆って密閉できる透明の扉を開閉自在に取り付けた前記１）〜６）いずれか記載の歯科用展示台
にある。
【考案の効果】
【０００６】
本考案によれば、歯科用展示台を歯科診療所の待合室の見やすい場所に設置しておけば、来院した患者が治療前に様々な形態やその効果・費用を事前に知得でき、実際の治療時に医師からの説明の理解を早めるとともに、患者も求める形態の治療を医師に希望し易くなる。
【図面の簡単な説明】
【０００７】
【図１】実施例の歯科用展示台の外観図である。
【図２】実施例の歯科用展示台の外観図である。
【図３】実施例の見本とベースの斜視図である。
【図４】実施例の各見本の斜視図である
【図５】実施例の台の断面図である。
【図６】実施例の説明ボードの説明図である。
【図７】実施例の他の例の歯科用展示台の外観図である。
【図８】実施例の他の例の扉の開閉を示す説明図である。
【考案を実施するための形態】
【０００８】
本考案の台は、垂直や斜めのものなど患者が見やすい形状で構成される。ベースは透明の材質を用いると、見本を取り外すことなく全体を見ることができる。説明ボードは、各見本の分類や効果（デメリットも含む）が表記されるが、特に治療に伴う費用を明記し、患者が治療前に予算を検討できるようにするのが望ましい。本考案の歯科用展示台は、斜めのものはテーブルや家具等の上に載置したり、垂直のものは壁面に吊下したりして用いられる。以下、本考案の実施例を図面に基づいて具体的に説明する。
【実施例１】
【０００９】
図１、２は実施例の歯科用展示台の外観図、図３は実施例の見本とベースの斜視図、図４は実施例の各見本の斜視図、図５は実施例の台の断面図、図６は実施例の説明ボードの説明図である。図中、１は歯科用展示台、２は台、２ａは開口、２ｂは凹所、３は背台、４はベース、４ａは凸所、４ｂは凹所、５は見本、５ａは歯冠、５ｂは歯幹、５ｃはインレー、５ｄはコア、６は説明ボード、６ａは名称欄、６ｂは保険適用の可否欄、６ｃは材質欄、６ｄは説明欄、６ｅは効果欄、６ｆは費用欄である。
【００１０】
本実施例の歯科用展示台１は金属製からなり、内径１５ｍｍの開口２ａ又は凹所２ｂが横一列に所定間隔おいて形成された水平の台２を有し、台２の後辺から連続した傾斜する背台３をそれぞれ形成している。図１のものは台２を２段、図２のものは台２を１段設けている。
【００１１】
ベース４は外径３０ｍｍの円柱状の透明なプラスチック製からなり、底面に前記台２の開口２ａ又は凹所２ｂに挿入する外径１４．９ｍｍの凸所４ａを形成し、天面に見本５を取り付ける凹所４ｂを形成している。凹所４ｂは見本５の種類・数に応じて１箇所又は複数箇所形成される。このベース４の側面には必要に応じて見本５の名称等を表記し、ベース４と見本５との組み合わせを判別できるようにしてもよい。
【００１２】
見本５は様々な形態があり、図４（ａ）に示すのは白色のセラミック製や金属製からなる差し歯であり、歯冠５ａと歯幹５ｂとが分離可能に且つベース４とも取り外し可能に構成されている。図４（ｂ）に示すのはインレー５ｃであり、人工歯の表面一部に白色のセラミック製や金属製のものを埋め込んでいる。図４（ｃ）に示すのはコア５ｄである。図示しないラミネートは研削した歯の表面にセラミックを貼り合わせて白くした形態の人工歯である。
【００１３】
説明ボード６は背台３と略同寸法の薄物板からなり、表面には白い差し歯・白いインレー・金属のインレー・ラミネート・コアの名称欄６ａ、それらの保険適用の可否欄６ｂ、材質欄６ｃ、説明欄６ｄ、様々な効果とその大小を歯の絵柄の数で表わした効果欄６ｅ、費用欄６ｆが表記されている。
【００１４】
このように構成された歯科用展示台１を歯科診療所の待合室の見やすい場所に設置しておけば、来院した患者が治療前に様々な形態やその効果、費用を事前に知得でき、しかも実際に手に取って目前で確認できる。また、治療時には医師からの説明が理解し易くなり、患者も予め効果や要する費用等を検討・納得した上で求める形態の治療を医師に希望でき、患者への対応及び治療が円滑に行えるようになる。
【００１５】
図７、８に示すのは台の正面に扉を設けた実施例の他の例である。図７は実施例の他の例の歯科用展示台の外観図、図８は実施例の他の例の扉の開閉を示す説明図である。図中、３ａは天板、３ｂは底板、３ｃは側板、７は扉、８は蝶番、９はマグネット、９ａは受け座である。
【００１６】
図７、８に示す実施例の他の例は、台２を備え且つ上下辺及び側辺に天板３ａ・底板３ｂ・側板３ｃを備えたアクリル樹脂製の垂直の背台３の一側辺に３体の蝶番８を介して所定曲率に湾曲させた透明のアクリル樹脂からなる扉７を横方向に開閉自在に取り付け、扉７の対向辺にマグネット９を取り付けて背台３の対向辺に取り付けた金属製の受け座９ａとで閉鎖時に磁着できるようにしている。この例は各見本５へのホコリ等の付着を防止でき、扉７を開放すれば実際に手に取って見ることができるものである。その他、符号、構成は実施例と同じである。
【産業上の利用可能性】
【００１７】
本考案の歯科用展示台は主として歯科診療所の待合室に設置されるが、診療室や診療所の出入口等に設置してもよい。
【符号の説明】
【００１８】
１    歯科用展示台
２    台
２ａ  開口
２ｂ  凹所
３    背台
３ａ  天板
３ｂ  底板
３ｃ  側板
４    ベース
４ａ  凸所
４ｂ  凹所
５    見本
５ａ  歯冠
５ｂ  歯幹
５ｃ  インレー
５ｄ  コア
６    説明ボード
６ａ  名称欄
６ｂ  保険適用の可否欄
６ｃ  材質欄
６ｄ  説明欄
６ｅ  効果欄
６ｆ  費用欄
７    扉
８    蝶番
９    マグネット
９ａ  受け座
【図１】
0003149747.tif 000003
【図２】
0003149747.tif 000004
【図３】
0003149747.tif 000005
【図４】
0003149747.tif 000006
【図５】
0003149747.tif 000007
【図６】
0003149747.tif 000008
【図７】
0003149747.tif 000009
【図８】
0003149747.tif 000010